(57)【要約】【課題】油汚れに対する洗浄力、及び洗浄時の泡立ち性に優れた液体洗浄剤組成物を提供する。【解決手段】（ａ）陰イオン界面活性剤を５質量％以上２０質量％以下、（ｂ）両性界面活性剤を５質量％以上２０質量％以下、（ｃ）水溶性溶剤を１質量％以上２０質量％以下、（ｄ）プロピレンオキシド単位を分子中に８０ｍｏｌ％以上含有する分子量５００以上２０００以下のポリアルキレンオキシドを０．１質量％以上５質量％以下、及び水を含有し、（ａ）の含有量と（ｂ）の含有量との質量比である（ａ）／（ｂ）が１以上２以下である、液体洗浄剤組成物。【選択図】なし【特許請求の範囲】
【請求項１】
（ａ）陰イオン界面活性剤［以下（ａ）成分という］を５質量％以上２０質量％以下、（ｂ）両性界面活性剤［以下（ｂ）成分という］を５質量％以上２０質量％以下、（ｃ）水溶性溶剤［以下（ｃ）成分という］を１質量％以上２０質量％以下、（ｄ）プロピレンオキシド単位を分子中に８０ｍｏｌ％以上含有する分子量５００以上２０００以下のポリアルキレンオキシド［以下（ｄ）成分という］を０．１質量％以上５質量％以下、及び水を含有し、（ａ）成分の含有量と（ｂ）成分の含有量との質量比である（ａ）／（ｂ）が１以上２以下である、液体洗浄剤組成物。
【請求項２】
（ａ）成分が、アルキル基の炭素数が８以上１８以下のポリオキシアルキレンアルキルエーテル硫酸エステル塩、アルキル基の炭素数が８以上１８以下のアルキル硫酸エステル塩、及び炭素数５以上１８以下の脂肪アルコールとスルホコハク酸とのモノ又はジエステルの塩から選ばれる一種以上である、請求項１記載の液体洗浄剤組成物。
【請求項３】
（ｂ）成分が、炭素数８以上１８以下の炭化水素基を一つ有するアミンオキシド型界面活性剤、及びスルホベタイン型両性界面活性剤から選ばれる一種以上である、請求項１又は２記載の液体洗浄剤組成物。
【請求項４】
（ｃ）成分が、グリコールエーテル系溶剤である、請求項１〜３の何れか１項記載の液体洗浄剤組成物。
【請求項５】
（ａ）成分の含有量と（ｂ）成分の含有量の合計と（ｃ）成分の含有量との質量比である［（ａ）＋（ｂ）］／（ｃ）が１以上１０以下である、請求項１〜４の何れか１項記載の液体洗浄剤組成物。
【請求項６】
硬質物品用である、請求項１〜５の何れか１項記載の液体洗浄剤組成物。
【請求項７】
食器及び／又は台所周りの硬質物品用である、請求項１〜６の何れか１項記載の液体洗浄剤組成物。
【発明の詳細な説明】
【技術分野】
【０００１】
本発明は、液体洗浄剤組成物、例えば、食器、台所周りの硬質物品などの洗浄に適した液体洗浄剤組成物に関する。
【背景技術】
【０００２】
食器や調理器具の洗浄には、液体油や固形油などの洗浄負荷が大きい汚れをスポンジなどの可撓性物品などを用いて擦り洗いすることで簡単に洗浄除去できる高い洗浄力と、洗浄力の目安となる豊富な泡立ちと泡の持続性が求められる。この観点で、台所や調理場などで用いられる洗浄剤において、陰イオン界面活性剤や両性界面活性剤を併用することがある。
【０００３】
特許文献１には、アミンオキシド、所定の陰イオン界面活性剤、オキシカルボン酸、及び水を所定条件で含有する液体洗浄剤が開示されている。特許文献２には、所定の低分子有機ジアミン、アニオン性界面活性剤、両性界面活性剤、並びに、所定のジオール、所定の重合グリコール及びこれらの混合物からなる群から選択される溶媒を、所定条件で含有する液体皿洗い用洗剤組成物が開示されている。特許文献３には、界面活性剤、乳白化剤、及び平均分子量３００〜４０００の多価アルコールのポリアルキレンオキシドをそれぞれ所定範囲の量で含有する液体洗浄剤組成物が開示されている。
【先行技術文献】
【特許文献】
【０００４】
【特許文献１】特開平９−７８０９１号公報
【特許文献２】特表２００２−５３６４９７号公報
【特許文献３】特開平６−１７０９５号公報
【発明の概要】
【発明が解決しようとする課題】
【０００５】
食器などの洗浄に用いられる洗浄剤には油汚れに対する洗浄力が求められ、そのために、複数の界面活性剤を組み合わせて用いる、例えば、陰イオン界面活性剤と両性界面活性剤とを組み合わせて用いることが考えられる。しかしながら、陰イオン界面活性剤と両性界面活性剤を併用して水系の洗浄剤を調製すると、界面活性剤相互のイオンコンプレックスを形成するため、貯蔵中に析出するなど、保存安定性が低下する傾向を示す。保存安定性の向上には、例えば、有機溶剤の配合が有効であるが、陰イオン界面活性剤と両性界面活性剤とを組み合わせた組成で有機溶剤を用いると、洗浄時の泡立ちが損なわれることが判明した。
【０００６】
本発明は、油汚れに対する洗浄力、及び洗浄時の泡立ち性に優れた液体洗浄剤組成物を提供する。
【課題を解決するための手段】
【０００７】
本発明者らは、陰イオン界面活性剤と両性界面活性剤とを併用した組成で、両者の質量比を所定範囲とし、且つ、水溶性溶剤とプロピレンオキシド単位を含むポリアルキレンオキシドを配合することにより、油汚れに対する洗浄力の増強と、洗浄時の好ましい泡立ち性を両立できることを見出し、本発明を完成させるに至った。
【０００８】
本発明は、（ａ）陰イオン界面活性剤［以下（ａ）成分という］を５質量％以上２０質量％以下、（ｂ）両性界面活性剤［以下（ｂ）成分という］を５質量％以上２０質量％以下、（ｃ）水溶性溶剤［以下（ｃ）成分という］を１質量％以上２０質量％以下、（ｄ）プロピレンオキシド単位を分子中に８０ｍｏｌ％以上含有する分子量５００以上２０００以下のポリアルキレンオキシド［以下（ｄ）成分という］を０．１質量％以上５質量％以下、及び水を含有し、（ａ）成分の含有量と（ｂ）成分の含有量との質量比である（ａ）／（ｂ）が１以上２以下である、液体洗浄剤組成物に関する。
【発明の効果】
【０００９】
本発明によれば、油汚れに対する洗浄力と洗浄時の泡立ち性に優れた液体洗浄剤組成物が提供される。
【発明を実施するための形態】
【００１０】
＜液体洗浄剤組成物＞
（ａ）成分の陰イオン界面活性剤としては、アルキルアリールスルホン酸型界面活性剤、硫酸エステル型界面活性剤、アルカンスルホン酸型界面活性剤、オレフィンスルホン酸型界面活性剤、スルホコハク酸アルキルエステル型界面活性剤、及びスルホ脂肪酸エステル型界面活性剤から選ばれる１種以上の陰イオン界面活性剤が好ましい。
【００１１】
アルキルアリールスルホン酸型界面活性剤としては、アルキルベンゼンスルホン酸塩が挙げられる。具体的には、炭素数６以上、好ましくは８以上、そして、１８以下、好ましくは１５以下のアルキル基を有するアルキルベンゼンスルホン酸塩が挙げられる。
【００１２】
硫酸エステル型界面活性剤としては、炭素数８以上２０以下の炭化水素基と、硫酸エステル基とを有する陰イオン界面活性剤が挙げられる。炭化水素基は、洗浄力の観点から、炭素数が８以上、好ましくは１０以上、より好ましくは１２以上、そして、２０以下、好ましくは１８以下、より好ましくは１４以下、更に好ましくは１２以下である。炭化水素基は、アルキル基が好ましい。
硫酸エステル型界面活性剤としては、アルキル硫酸エステル塩、ポリオキシアルキレンアルキルエーテル硫酸エステル塩が挙げられる。
アルキル硫酸エステル塩としては、炭素数が８以上、好ましくは１０以上、そして、２０以下、好ましくは１８以下、より好ましくは１４以下、更に好ましくは１２以下のアルキル基、更に直鎖又は分岐鎖のアルキル基を有するアルキル硫酸エステル塩が好適である。
【００１３】
ポリオキシアルキレンアルキルエーテル硫酸エステル塩としては、炭素数８以上、好ましくは１０以上、そして、２０以下、好ましくは１８以下、より好ましくは１４以下、更に好ましくは１２以下のアルキル基、更に直鎖又は分岐鎖のアルキル基を有し、炭素数２以上３以下のオキシアルキレン基の平均付加モル数が、好ましくは０．１以上、より好ましくは０．３以上、更に好ましくは０．４以上、そして、好ましくは６以下、より好ましくは３以下、更に好ましくは１．５以下である、ポリオキシアルキレンアルキルエーテル硫酸エステル塩が好適である。オキシアルキレン基は炭素数２が好ましい。
【００１４】
アルカンスルホン酸型界面活性剤としては、アルカン部分の炭素数が８以上、好ましくは１０以上、より好ましくは１４以上、そして、２０以下、好ましくは１８以下のアルカンスルホン酸塩が挙げられる。
【００１５】
オレフィンスルホン酸型界面活性剤としては、α−オレフィンスルホン酸塩、内部オレフィンスルホン酸塩が挙げられる。α−オレフィンスルホン酸塩は、オレフィン部分の炭素数が８以上、好ましくは１０以上、より好ましくは１４以上、そして、２２以下、好ましくは２０以下、より好ましくは１８以下である。また内部オレフィンスルホン酸塩は、オレフィン部分の炭素数が８以上、好ましくは１２以上、より好ましくは１６以上、そして、２４以下、好ましくは２０以下、より好ましくは１８以下である。
【００１６】
スルホコハク酸アルキルエステル型界面活性剤としては炭素数５以上、好ましくは６以上、より好ましくは７以上、そして、１８以下、好ましくは１４以下、より好ましくは１０以下の脂肪アルコールとスルホコハク酸とのモノエステル及び／又はジエステル、好ましくはジエステルが好ましい。また、脂肪アルコールは分岐アルコールが洗浄力の点から好適である。
【００１７】
スルホ脂肪酸エステル型界面活性剤としては、脂肪酸部分の炭素数が１０以上１８以下のα−スルホ脂肪酸塩、脂肪酸部分の炭素数が１０以上１８以下であり、エステル部分の炭素数が１以上５以下であるα−スルホ脂肪酸低級アルキルエステル塩（低級アルキルは好ましくは炭素数１以上３以下）が挙げられる。
【００１８】
（ａ）成分としては、アルキル基の炭素数が８以上１８以下のポリオキシアルキレンアルキルエーテル硫酸エステル塩、アルキル基の炭素数が８以上１８以下のアルキル硫酸エステル塩、及び炭素数５以上１８以下の脂肪アルコールとスルホコハク酸とのモノ又はジエステルの塩から選ばれる一種以上の陰イオン界面活性剤が好ましい。
【００１９】
本発明の液体洗浄剤組成物は、洗浄時の起泡性や泡持続性の観点から、（ａ）成分を５質量％以上、好ましくは７質量％以上、より好ましくは９質量％以上、そして、２０質量％以下、好ましくは１８質量％以下、より好ましくは１５質量％以下含有する。
【００２０】
（ｂ）成分の両性界面活性剤としては、アミンオキシド型界面活性剤、及びベタイン型界面活性剤から選ばれる１種以上の両性界面活性剤が挙げられる。更に、炭素数８以上１８以下の炭化水素基を一つ有するアミンオキシド型界面活性剤、及びスルホベタイン型両性界面活性剤から選ばれる１種以上の両性界面活性剤が挙げられる。より詳細には、（ｂ）成分としては、３級アミンオキシド型界面活性剤、スルホベタイン型界面活性剤及びカルボベタイン型界面活性剤から選ばれる１種以上の界面活性剤が挙げられる。
【００２１】
３級アミンオキシド型界面活性剤としては、窒素原子に結合する基のうち１つがアミド基又はエステル基で分断されていてもよい炭素数８以上１８以下のアルキル基、好ましくは炭素数８以上１６以下のアルキル基、更に好ましくは炭素数８以上１４以下のアルキル基であり、残りが炭素数１以上３以下のアルキル基、好ましくはメチル基である３級アミンオキシド型界面活性剤が挙げられる。
【００２２】
スルホベタイン型界面活性剤としては、炭素数１０以上、そして、１８以下、好ましくは１６以下、より好ましくは１４以下のアルキル基を１つと、炭素数１以上３以下のアルキル基、好ましくはメチル基を２つと、３−スルホプロピル基又は２−ヒドロキシ−３−スルホプロピル基とを有する化合物が好適である。
【００２３】
また、カルボベタイン型界面活性剤としては、アミド基又はエステル基で分断されていてもよい炭素数１０以上、そして、１８以下、好ましくは１６以下、より好ましくは１４以下のアルキル基を１つと、炭素数１以上３以下のアルキル基、好ましくはメチル基を２つと、カルボキシアルキル基、好ましくはカルボキシメチル基を１つ有するカルボベタイン型界面活性剤が好ましい。
【００２４】
（ｂ）成分は、洗浄力の増強の観点から、ベタイン型界面活性剤が好ましく、スルホベタイン型界面活性剤及びカルボベタイン型界面活性剤から選ばれる１種以上の界面活性剤がより好ましく、スルホベタイン型両性界面活性剤が更に好ましい。
【００２５】
本発明の液体洗浄剤組成物は、洗浄力の増強の観点から、（ｂ）成分を５質量％以上、好ましくは７質量％以上、より好ましくは９質量％以上、そして、２０質量％以下、好ましくは１８質量％以下、より好ましくは１５質量％以下含有する。
【００２６】
本発明の液体洗浄剤組成物は、洗浄力及び保存安定性の観点から、（ａ）成分の含有量と（ｂ）成分の含有量との質量比である（ａ）／（ｂ）が１以上、好ましくは１．０以上、より好ましくは１．１以上、更に好ましくは１．２以上、そして、２以下、好ましくは２．０以下、より好ましくは１．８以下、更に好ましくは１．６以下である。
【００２７】
（ｃ）成分は、水溶性溶剤である。（ｃ）成分の溶剤について、水溶性とは、２５℃の水１００ｇに５ｇ以上溶解することをいう。（ｃ）成分は、分子量５００未満の水溶性溶剤が好ましい。
【００２８】
（ｃ）成分としては、炭素数２以上、更に炭素数３以上、そして、炭素数１０以下、更に炭素数８以下の水溶性有機溶剤が好ましい。また、（ｃ）成分としては、一価アルコール、多価アルコール（グリコールなど）、及びグリコールエーテルから選ばれる水溶性有機溶剤が好ましい。
【００２９】
（ｃ）成分としては、洗浄力及び貯蔵安定性の観点から、ＬｏｇＰｏｗが、好ましくは−３．０以上、より好ましくは−２．０以上、更に好ましくは−１．５以上、そして、同様の観点から、好ましくは１．５以下、より好ましくは１．０以下の水溶性有機溶剤が挙げられる。
【００３０】
本発明において、ｌｏｇＰｏｗ値とは、水と１−オクタノールに対する有機化合物の親和性を示す係数である。１−オクタノール／水分配係数Ｐは、１−オクタノールと水の２液相の溶媒に微量の化合物が溶質として溶け込んだときの分配平衡で、それぞれの溶媒中における化合物の平衡濃度の比であり、底１０に対するそれらの対数ｌｏｇＰｏｗの形で示すのが一般的である。多くの化合物のｌｏｇＰｏｗ値が報告されており、Daylight Chemical Information Systems, Inc. (Daylight CIS)等から入手しうるデータベースには多くの値が掲載されているので参照できる。実測のｌｏｇＰｏｗ値がない場合には、Daylight CISから入手できるプログラム「CLOGP」等で計算することができる。このプログラムは、実測のｌｏｇＰｏｗ値がある場合にはそれと共に、Hansch, Leoのフラグメントアプローチにより算出される「計算ｌｏｇＰｏｗ（ＣｌｏｇＰｏｗ）」の値を出力する。
【００３１】
フラグメントアプローチは化合物の化学構造に基づいており、原子の数及び化学結合のタイプを考慮している（cf. A. Leo, Comprehensive Medicinal Chemistry, Vol.4, C. Hansch,P.G.Sammens, J.B. Taylor and C.A. Ramsden, Eds., p.295, Pergamon Press, 1990）。このＣｌｏｇＰｏｗ値を、化合物の選択に際して実測のｌｏｇＰｏｗ値の代わりに用いることができる。本発明では、ｌｏｇＰｏｗの実測値があればそれを、無い場合はプログラムCLOGP v4.01により計算したＣｌｏｇＰｏｗ値を用いる。
【００３２】
（ｃ）成分としては、（ｃ−１）炭素数１以上３以下の１価アルコール、（ｃ−２）炭素数２以上４以下の多価アルコール、（ｃ−３）アルキレングリコール単位の炭素数が２ないし４のジ又はトリアルキレングリコール、（ｃ−４）アルキレングリコール単位の炭素数が２ないし４のモノ、ジ、トリ又はテトラアルキレングリコールの、モノアルキル（メチル、エチル、プロピル又はブチル）、モノフェニル又はモノベンジルエーテルを挙げることができる。
【００３３】
具体的には（ｃ−１）として、エタノール、イソプロピルアルコール、（ｃ−２）として、イソプレングリコール、プロピレングリコール、（ｃ−４）として、プロピレングリコールモノエチルエーテル、ジエチレングリコールモノブチルエーテル（ブチルジグリコールなどとも称される）、ジプロピレングリコールモノブチルエーテル、トリエチレングリコールモノブチルエーテル（ブチルトリグリコールなどとも称される）、フェノキシエタノール、フェノキシトリエチレングリコール、フェノキシイソプロパノールが挙げられる。（ｃ）成分としては、エタノール、プロピレングリコール、ジプロピレングリコールモノブチルエーテル、ジエチレングリコールモノブチルエーテル、トリエチレングリコールモノブチルエーテル、フェノキシエタノール、及びフェノキシイソプロパノールから選ばれる有機溶剤が好ましい。
【００３４】
食品などに由来する液体油汚れの洗浄作用をより高める観点から、（ｃ）成分は、アルコキシ基を有するものが好ましく、更に上記（ｃ−４）から選ばれる一種以上を含むことが好ましく、（ｃ）成分としてジエチレングリコールモノブチルエーテル、トリエチレングリコールモノブチルエーテル及びジプロピレングリコールモノブチルエーテルから選ばれる一種以上を含有することがより好ましく、ジエチレングリコールモノブチルエーテルを含有することがより好ましい。
【００３５】
本発明の液体洗浄剤組成物は、保存安定性の観点から、（ｃ）成分を１質量％以上、好ましくは１．５質量％以上、より好ましくは２質量％以上、そして、洗浄時の起泡性の観点から、２０質量％以下、好ましくは１５質量％以下、より好ましくは１０質量％以下含有する。
【００３６】
本発明の液体洗浄剤組成物は、洗浄時の起泡性及び保存安定性の観点から、（ａ）成分の含有量と（ｂ）成分の含有量の合計と（ｃ）成分の含有量との質量比である［（ａ）＋（ｂ）］／（ｃ）が、好ましくは１以上、より好ましくは２以上、更に好ましくは３以上、そして、好ましくは１０以下、より好ましくは８以下、更に好ましくは７以下である。
【００３７】
（ｄ）成分は、プロピレンオキシド単位を分子中に８０ｍｏｌ％以上含有する分子量５００以上２０００以下のポリアルキレンオキシドである。
【００３８】
（ｄ）成分は、プロピレンオキシド単位を分子中に、好ましくは８５ｍｏｌ％以上、より好ましくは９０ｍｏｌ％以上、更に好ましくは９５ｍｏｌ％以上含有する。
【００３９】
（ｄ）成分の分子量は、洗浄時の起泡性の観点から、好ましくは７００以上、より好ましくは１０００以上、そして、好ましくは１８００以下、より好ましくは１５００以下である。（ｄ）成分の分子量はポリエチレングリコールを標準としたときのゲルパーミエーションクロマトグラフィーによって求められた重量平均分子量である。また、ポリアルキレンオキシド中のプロピレンオキシド単位の含有量はＮＭＲ（核磁気共鳴スペクトル）で求めることができる。
【００４０】
（ｄ）成分は、分子量５００以上２０００以下のポリプロピレンオキシドが好ましい。
【００４１】
本発明の液体洗浄剤組成物は、洗浄時の起泡性及び粘度の観点から、（ｄ）成分を０．１質量％以上、好ましくは０．３質量％以上、より好ましくは０．５質量％以上、そして、５質量％以下、好ましくは４質量％以下、より好ましくは３質量％以下含有する。
【００４２】
本発明の液体洗浄剤組成物は、洗浄時の起泡性及び粘度の観点から、（ａ）成分の含有量と（ｂ）成分の含有量の合計と（ｄ）成分の含有量との質量比である［（ａ）＋（ｂ）］／（ｄ）が、好ましくは３以上、より好ましくは４以上、更に好ましくは５以上、そして、好ましくは１７０以下、より好ましくは１００以下、更に好ましくは５０以下である。
【００４３】
本発明では（ａ）成分と（ｂ）成分の前記質量比を２以下にすることで混合ミセルを形成しミセルが疎水性になることから油汚れに高い洗浄性を付与することができる。一方、泡立ち性に関しては、界面活性剤が泡膜に配列することで泡が安定化するが、（ａ）成分と（ｂ）成分のイオン性が相殺されることで泡膜の安定性も損なわれ、希釈した時の泡立ち性が損なわれる。すなわち洗浄力と起泡力を両立することが難しい。本発明では特定の分子量を有する（ｃ）成分が（ａ）成分と（ｂ）成分の疎水化した混合ミセルに作用し、イオン性が弱められた泡膜の膜強度を改善することで、洗浄力を損なうことなく泡立ちが良好になるものと考えられる。
【００４４】
本発明の液体洗浄剤組成物は、（ｅ）成分として、（ａ）成分、（ｂ）成分以外の界面活性剤を含有することができる。（ｅ）成分としては、非イオン界面活性剤が挙げられる。非イオン界面活性剤としては、アルキルエーテル型非イオン界面活性剤、及びアルキルグリセリルエーテル型界面活性剤から選ばれる１種以上の非イオン界面活性剤が挙げられる。非イオン界面活性剤としては、アルキルグリセリルエーテル型界面活性剤から選ばれる１種以上の非イオン界面活性剤が好ましい。アルキルグリセリルエーテル型界面活性剤としては、炭素数８以上１８以下、好ましくは炭素数８以上１４以下、より好ましくは炭素数８以上１２以下のアルキル基を１つ有するアルキルグリセリルエーテル型界面活性剤が挙げられる。前記アルキル基は炭素数８以上１２以下の分岐鎖アルキル基が好適である。本発明の液体洗浄剤組成物が（ｅ）成分を含有する場合、該組成物は（ｅ）成分を、好ましくは０．５質量％以上、より好ましくは１質量％以上、更に好ましくは１．５質量％以上、そして、好ましくは１０質量％以下、より好ましくは８質量％以下、更に好ましくは６質量％以下含有する。
【００４５】
本発明の液体洗浄剤組成物は、（ｆ）成分として、クメンスルホン酸、ｐ−トルエンスルホン酸、ｍ−キシレンスルホン酸より選ばれる１種類以上の可溶化剤を含有することが好ましい。本発明の液体洗浄剤組成物が（ｆ）成分を含有する場合、該組成物は（ｆ）成分を、好ましくは０．０１質量％以上、より好ましくは０．５質量％以上、更に好ましくは１．０質量％以上、そして、好ましくは２０質量％以下、より好ましくは１８質量％以下、更に好ましくは１５質量％以下含有する。
【００４６】
本発明の液体洗浄剤組成物は、（ａ）成分、（ｂ）成分、（ｃ）成分、（ｄ）成分、更に任意の（ｅ）成分、（ｆ）成分以外に、ゲル化防止剤、ポリアクリル酸等の増粘剤、ヒドロキシカルボン酸や網のポリカルボン酸及びこれらの塩から選ばれる一種以上の金属封鎖剤、香料、染料、顔料、殺菌剤、防腐剤、ｐＨ調整剤などの成分を、本発明の効果を損なわない範囲で含有することができる。
【００４７】
本発明の液体洗浄剤組成物は、水を含有する。すなわち、前記（ａ）〜（ｄ）成分及び任意成分以外の残部が水である。本発明の液体洗浄剤組成物は、好適な粘度に調整し、本発明の効果を十分に発揮できる観点から、水を、好ましくは３０質量％以上、より好ましくは５０質量％以上、そして、好ましくは８５質量％以下、より好ましくは８０質量％以下、更に好ましくは７５質量％以下含有する。水は、イオン交換水、滅菌イオン交換水、蒸留水、或いは次亜塩素酸を０．５〜１０ｐｐｍ程度溶解させた次亜塩素酸滅菌水などを使用することができる。本発明の液体洗浄剤組成物は、上記成分を、水に溶解及び／又は分散及び／又は乳化させた液体組成物の形態であってよい。例えば、本発明の液体洗浄剤組成物は、水溶液の形態であってよい。
【００４８】
本発明の液体洗浄剤組成物の２５℃におけるｐＨは、好ましくは４以上、より好ましくは５以上、そして、好ましくは９以下、より好ましくは８以下である。このようなｐＨへの調整は、硫酸、塩酸、リン酸から選ばれる無機酸、クエン酸、りんご酸、マレイン酸、フマール酸、コハク酸から選ばれる有機酸、水酸化ナトリウム、水酸化カリウム、水酸化マグネシウム、炭酸ナトリウム、炭酸カリウムなどの無機アルカリ剤を用いて行われる。本発明では、組成物に緩衝能を持たせることが起泡性／泡持続性の点から好ましく、上記有機酸、好ましくはクエン酸と、無機アルカリ剤とを併用することが好適である。有機酸はナトリウム塩やカリウム塩の形態で組成物に配合しても差し支えない。
【００４９】
本発明の液体洗浄剤組成物、更に食器用液体洗浄剤組成物の２０℃における粘度は、好ましくは５ｍＰａ・ｓ以上、より好ましくは１０ｍＰａ・ｓ以上、そして、好ましくは５００ｍＰａ・ｓ以下、より好ましくは３００ｍＰａ・ｓ以下である。粘度は例えば（ｆ）成分などで調整することができる。
【００５０】
本発明の液体洗浄剤組成物は、好ましくは硬質物品用、より好ましくは食器及び／又は台所周りの硬質物品用である。更に好ましくは、食器用である。
【００５１】
台所周りの硬質物品は、台所の周辺で使用される物品であり、具体的には、
（１）冷蔵庫、食器棚などの食品、食器、調理器具の保存場所、
（２）排水溝、調理台、レンジフード、シンク、ガスレンジ、電子レンジなどの食品の調理場所、及び
（３）前記保存場所や前記調理場所の周辺の床や壁等
である。本発明では、これらを便宜上「台所周りの硬質物品」とする。
また、食器としては、具体的には、
（ｉ）皿、椀等のいわゆる食器、
（ii）タッパー、瓶等の保存容器、
（iii）包丁やまな板、鍋、フライパン、魚焼きグリル等の調理器具、
（iv）フードプロセッサー、ミキサー等の調理家電等
の食材が接触する部材や器具が挙げられる。本発明では、これらを便宜上「食器」とする。
また、本発明は、食器、保存容器、調理器具、及び調理家電から選ばれる物品を対象とすることが好ましく、更に皿、椀、タッパー、ビン、包丁、まな板、鍋、フライパン、魚焼きグリル、フードプロセッサー、及びミキサーから選ばれる物品を対象とすることがより好ましい。
【００５２】
本発明の対象とする硬質物品の材質は、プラスチック（シリコーン樹脂などを含む）、金属、陶器、木、及びそれらの組み合わせが挙げられる。そして、本発明の液体洗浄剤組成物は、これら硬質物品に付着した液体油を含有する汚れを効果的に洗浄することができる。
【００５３】
前述の通り、プラスチックなどの疎水性材料に付着した液体油は落とし難い汚れであるが、本発明では、プラスチック製の硬質物品に付着した液体油に対しても、優れた洗浄効果を示す。本発明は、プラスチック製の硬質物品の洗浄方法にも好適である。プラスチックは、ポリプロピレン、ポリエチレンなどのポリオレフィン、ポリメタクリレート、ポリカーボネート、ＡＢＳ樹脂、ポリエチレンテレフタラートなどが挙げられる。
【００５４】
本発明の液体洗浄剤組成物は、前述の通り、食器の洗浄、更に食器の手洗い洗浄に好適に用いられる。手洗い洗浄に用いられる洗浄液は、本発明の液体洗浄剤組成物を用いて得られたものであり、組成物の原液又は水を含む希釈液が用いられる。具体的な手洗い洗浄方法としては、例えば、水を含んだスポンジなどの可撓性材料に本発明の組成物を付着させ洗浄液を保持させて、手で数回揉みながら泡立てて、食器をこすり洗いする。可撓性材料が保持する洗浄液中の（ａ）成分、（ｂ）成分、（ｃ）成分及び（ｄ）成分の合計濃度は、高い起泡性と泡持続性の点から、例えば、１，０００ｐｐｍ以上、更に２，０００ｐｐｍ以上、そして、３０，０００ｐｐｍ以下、更に２０，０００ｐｐｍ以下、更に１０，０００ｐｐｍ以下であってよい。通常、洗浄終了後には水を加えてすすぎを行うが、例えば、本発明では、使用した組成物１質量部に対してすすぎ水３．３〜１３３質量部で十分泡が消え、すすぎを速やかに完了することができる。このすすぎ水の量は、従来の手洗い用洗浄剤組成物を用いた場合の２／３〜１／１０程度である。
【実施例】
【００５５】
下記配合成分を用いて表１の液体洗浄剤組成物を調製し、以下の方法で洗浄力、及び起泡力を評価した。結果を表１に示す。
また、下記配合成分を用いて表２の配合例の液体洗浄剤組成物を調製した。
表中の配合成分は以下のものである。
【００５６】
＜配合成分＞
〔（ａ）成分〕
・ａ−１：スルホコハク酸ジ−２−エチルヘキシルナトリウム、製品名「エアロールＣＴ−１Ｌ」、東邦化学工業（株）製
・ａ−２：アルキル鎖が炭素数１２の天然アルコール１モルに、プロピレンオキシドを０．６モル付加したのち、三酸化イオウにより硫酸化し、水酸化ナトリウムで中和した（水で１０％希釈したもののｐＨが１１になるまで中和した）もの。
【００５７】
〔（ｂ）成分〕
・ｂ−１：・ラウリルジメチルヒドロキシスルホベタイン、製品名「アンヒトール２０ＨＤ」、花王株式会社製
・ｂ−２：ラウリルジメチルアミンオキサイド、製品名「アンヒトール２０Ｎ」、花王株式会社製
【００５８】
〔（ｃ）成分〕
・ｃ−１：ジエチレングリコールモノブチルエーテル（ｌｏｇＰｏｗ  ０．６６）、日本乳化剤株式会社製
・ｃ−２；エタノール（ｌｏｇＰｏｗ  ０．０７）
・ｃ−３：プロピレングリコール（ｌｏｇＰｏｗ  −１．４）
【００５９】
〔（ｄ）成分〕
・ＰＰＧ１０００：重量平均分子量１０００のポリプロピレンオキシド
・ＰＰＧ２０００：重量平均分子量２０００のポリプロピレンオキシド
【００６０】
〔（ｄ’）成分（（ｄ）成分の比較成分）〕
・ＰＰＧ４００：重量平均分子量４００のポリプロピレンオキシド
・ＰＰＧ３０００：重量平均分子量３０００のポリプロピレンオキシド
・ＰＥＧ１０００：重量平均分子量１０００のポリエチレンオキシド
・ＰＥＧ２０００：重量平均分子量２０００のポリエチレンオキシド
【００６１】
〔（ｅ）成分〕
・ｅ−１：２−エチルヘキシルモノグリセリルエーテル、花王株式会社製
〔（ｆ）成分〕
・ｆ−１：パラトルエンスルホン酸、明友産業株式会社製
【００６２】
＜評価方法＞
（１）洗浄力の評価
３０ｍｍ（横）×８０ｍｍ（縦）×１ｍｍ（厚み）のポリプロピレン試験片の質量を４桁天秤で測定した（ｘ）。前記ポリプロピレン試験片の両面に、牛脂（シグマアルドリッチジャパン株式会社）と菜種油（キシダ化学株式会社）を９：１の質量比で混合したものを、下端から５０ｍｍの高さまで、両面合わせて０．０２〜０．０４ｇとなるように均一に塗布したものを作製し、汚れピースとした。同汚れピースの質量を４桁天秤で測定した（ｙ）。各洗浄剤組成物の水による３０倍希釈液５０ｇを５０ｍＬ容器（内径３５ｍｍ×高さ６８ｍｍの円柱状）に入れ、次いで汚れピース１枚を同容器内に立て掛けて前記組成物の３０倍希釈液に接触させた。この時、汚れピースの汚れを付着させた部分は、容器内の前記希釈液中に全て浸漬した。汚れピースを前記容器内の前記希釈液に１分間浸漬後、前記汚れピースを取り出し、１分間水道水で流水すすぎをした。この時、流水すすぎの条件は、水道水の温度は２５℃、流速は約４Ｌ／ｍｉｎ、蛇口の開口部の直径は約１５ｍｍであった。開口部から５ｃｍ垂直下に位置する汚れピースに落下してくる水道水に対して汚れピースを４５°になるように持ち、その角度を固定したまま汚れピースの汚れを付着させていない上端部分で流水を受け、汚れピース上を流れる水道水で洗浄部分片面全体をすすいだ。このとき、１０秒毎に表裏を変えて交互にすすいだ。
すすぎ終了後、汚れピースを乾燥させた後、４桁天秤で質量を測定した（ｚ）。以下の式で洗浄率を求めた。洗浄率の数値は大きい方が好ましい。
洗浄率（％）＝｛（ｙ）−（ｚ）｝／｛（ｙ）−（ｘ）｝×１００
【００６３】
（２）起泡力の評価
比色管（内径２５ｍｍ×高さ２５０ｍｍの円柱状）に前記組成物を３０倍希釈した水溶液１０ｇと牛脂（シグマアルドリッチジャパン株式会社）と菜種油（キシダ化学株式会社）を１：１の質量比で混合したものを、０．５ｇ入れて蓋をした。比色管内部の水溶液と油脂混合物と混和させながら泡立たせるために、比色管内部の上面と底面に内容物を打ち付けるように、上下に２０回振盪し、振盪後の泡の高さを読み取り、起泡力を求めた。
【００６４】
【表１】
2020196810.tif 000002
【００６５】
【表２】
2020196810.tif 000003